(57)【特許請求の範囲】
【請求項１】
走行機体の前部に連設された運転台に、それの前端縁に沿って薄壁構成のフートカバーを立設し、このフートカバーに、上方に門の字状に突出するハンドル体を設けるとともに、
前記ハンドル体の途中に表示装置を設け、
走向用及び刈取前処理装置の昇降操作用の操縦レバーを前記ハンドル体に設け、この操縦レバーを操作する手の手首部分を該操縦レバーよりも後方位置で支え置くための支持台を、前記ハンドル体から延設してある収穫機の運転部構造。
【発明の詳細な説明】
【０００１】
【発明の属する技術分野】
本発明は、コンバイン等の収穫機の運転部構造に関する。
【０００２】
【従来の技術】
一般に、コンバイン等の収穫機の運転部構造としては、例えば、特開平９−２０７６４１号公報に開示されているように、走行機体の前部に連設された運転台の前部には操縦塔が配置され、運転台の後部には座席が配置されたものが知られている。
また、この従来の運転部構造における操縦塔の場合、上面には門型の固定ハンドルが設けられ、また、操縦塔の上面中央には種々情報を表示する表示装置が設けられ、さらに、上面左には操縦レバーが設けられ、固定ハンドル上に操縦者の手首部分を支え置いてレバー操作できる構成となっている。
【０００３】
【発明が解決しようとする課題】
しかしながら、上記従来構造の収穫機の運転部構造にあっては、操縦塔の前後幅が大きいため、その分、運転座席が後ろに位置することになり、その下がった分だけ前方視界が悪くなる結果、運転部から刈取部に対する見通しも悪くなり、刈取の状況によっては、見通しをよくするため、座席から立って操縦するようなこともある。
そのようなことを解消するため、運転座席を操縦塔に近づけた位置に配置して、前方視界をよくすることも考えられるが、それを行なうと今度は足元の居住性が悪くなり現実的ではない。
また、座席がなく立ち姿勢で操縦する刈取機の運転部構造にあっても、操縦塔の分だけ後ろに下がって操縦するので、その後ろに下がった分だけ前方視界が悪くなる結果、刈取の状況によっては、見通しをよくするため、前にのめり込んで覗き込んで操縦するようなことがある。
さらに、操縦者が上述のような操縦塔の表示装置の表示を目視しようとしても、操縦者のその時々の姿勢によっては表示装置上の固定ハンドルが邪魔になり見づらい場合もあり、前方視界を十分に確保しながら、かつ、表示装置の表示への目視を十分に確保するようなことは簡単にはできない。
【０００４】
本発明は、上記実状に鑑みてなされたものであって、その主たる課題は、操縦者のその時々の姿勢に関係なく、前方視界を十分に確保することができるとともに、前方視界を確保しながらも表示装置の表示を目視することが可能となる収穫機の運転部構造を提供する点にある。
【０００５】
【課題を解決するための手段】
（構成）本発明の請求項１にかかる収穫機の運転部構造は、走行機体の前部に連設された運転台に、それの前端縁に沿って薄壁構成のフートカバーを立設し、このフートカバーに、上方に門の字状に突出するハンドル体を設けるとともに、ハンドル体の途中に表示装置を設け、走向用及び刈取前処理装置の昇降操作用の操縦レバーを前記ハンドル体に設け、この操縦レバーを操作する手の手首部分を該操縦レバーよりも後方位置で支え置くための支持台を、前記ハンドル体から延設してあることを特徴構成とする。
【０００６】
（作用）本発明の請求項１にかかる構成によれば、従来の操縦塔がある運転部構造に比べて、運転部のフロント部を大きく簡素化することができ、その分、操縦者は運転部の前側に位置して操縦することができるとともに、表示装置が最も眼につきやすいハンドル体の途中に設けられているので、目視し易くなっている。
【０００７】
（効果）従って、本発明の請求項１にかかる構成によれば、運転部を簡素化できた分、操縦者は運転部の前側に位置して操縦することができる結果、見通しがよくなり、前方視界を十分に確保することができるとともに、この前方視界を確保しながら表示装置の表示を容易に目視することが可能となり、操縦性能の向上を図ることができる。
【０００８】
【０００９】
【００１０】
【００１１】
【００１２】
【発明の実施の形態】
［第１実施形態］
以下、本発明の一実施形態を図面に基づいて説明する。
図１に収穫機の一例としてのコンバインを示している。このコンバインは、左右一対のクローラ走行装置１，１に支持された走行機体２に、刈取前処理装置３、脱穀装置４、運転部である搭乗操縦部５、原動部６、グレンタンク７等を搭載装備して構成している。
【００１３】
搭乗操縦部５は、走行機体２の前側で刈取前処理装置３の右隣に配置されている。そして、搭乗操縦部５には、図２に示すように操縦者が着座するための座席８を配設するとともに、薄肉構成のフートカバー９を座席８の前側の運転台１０の前端に沿って立設している。
【００１４】
このフートカバー９は、立設上下中間位置までは、垂直に立設し、上部は座席８側に傾斜している。そして、フートカバー９の上面には、上方に門の字状に突出するハンドル体１１が設けられている。
【００１５】
前記ハンドル体１１は、左右の脚部を前記フートカバー９の上面に固定するとともに、中央の横杆中央には、上面に表示面を形成した表示装置１３が配置されている。この表示装置１３の表示部１３Ａには、現在の作業状況の表示、例えば、燃料残量、ラジエータ温度、エンジン負荷、供給詰まり、２番詰まり、結束ひも切れ、こぎ深さ、チャフ詰まり、籾満杯、排わら詰まり、結束詰まり等の種々の掲示や警告等が表示される。この表示装置１３は、ハンドル体１１内を通して電源部や情報処理装置等の入出力装置と配線４０で接続されている。
【００１６】
また、ハンドル体１１の上面の右より箇所には、走向用及び刈取前処理装置３の昇降操作用の操縦レバー１２を十字操作可能に立設している。この操縦レバー１２は、例えば、電気操作式の構成のものが使用され、電気操作式の制御バルブ（図示せず）を操作可能にしている。
さらに、操縦レバー１２の手前に位置するハンドル体１１部分には、操縦レバー１２を操作する手の手首部分を支え置くための支持台１４が配備されている。
【００１７】
上記構成のコンバインであれば、運転作業時には、例えば、図１に示すように、操縦者は座席８に座り、左手でハンドル体１１の横杆左より部分をつかみ、右手で操作レバー１２を操作する。
この実施形態の運転部構造では、操縦レバー１２を配備してあるハンドル体１１の位置は、運転台１０に前端位置より、フートカバー９の上側が座席８側へ傾斜した分、手前側に位置する。
従って、操縦者からは、その傾斜によって見通しがよくなった分、前方視界がよい。図１には、一例として、着座姿勢の操縦者から刈取前処理装置３がどのくらい見えるかを、この実施形態の運転部構造の場合を二点鎖線の目視線Ｘで示し、従来の運転部構造の場合を破線の目視線Ｙで示してある。
【００１８】
【００１９】
【００２０】
【００２１】
【００２２】
［第２実施形態］
【００２３】
図３、図４に示すように、表示装置１３が、前記ハンドル１１の横杆部分１１Ａに対して移動自在に設けられている。
図示するものは、パイプ状のハンドル体１１に対して、表示装置１３を外嵌して、ハンドル体１１に対して左右方向にも軸回り方向にも移動できる構成にし、背後のばね３１によって前方に付勢されるボール３２を配置して構成される押圧手段３０を、ハンドル体１１と表示装置１３との摺接対面箇所の一方に複数箇所配備して、他方の摺接対面箇所を弾圧付勢することにより、ハンドル体１１に対して表示装置１３を移動可能にするとともに、移動箇所で止まるよう構成してある。ただし、表示装置１３の電気配線４０等はハンドル体１１内を通して配設されるので、表示装置１３の移動可能な設定範囲で、電気配線４０が摺接部間に挟まれて切断されないように、横杆部分１１Ａに孔１１Ｂを形成し、この孔１１Ｂに移動止め突部１３Ｂを臨ませた構成にしてある。この孔１１Ｂと移動止め突起１３Ｂとの関係は逆であってもよい、すなわち、表示装置１３側に孔があり、横杆部分１１Ａに移動止め突起を設けた構成であってもよい。
【００２４】
また、唯単にハンドル体１１に外嵌する表示装置１３を摩擦保持によって左右方向にも軸回り方向にも移動可能な構成にしてもよい。この場合、摩擦面のどちらか一方に摩擦力の大きな樹脂等を用いると効果的である。
【００２５】
さらに、表示装置１３をハンドル体１１に対してノブ操作で締め付けたり、締付を解いたりするネジ杆を表示装置１３側に配備して、ハンドル体１１の横杆部分１１Ａに対して表示装置１３を左右方向及び軸回り方向に移動することができる構成にしてもよい。
【００２６】
また、軸体状のハンドル体１１の横杆部分１１Ａに対して、表示装置１３を外嵌し、ハンドル体１１と表示装置１３との摺接対面箇所の一方に弾圧付勢するボールデテント機構のボールを配置し、他方の摺接対面箇所に、ボールに対する受け止め孔を、左右方向と軸回り方向とに等間隔に多数配列して、ハンドル体１１に対して表示装置１３を移動自在にしてもよい。
【００２７】
尚、ハンドル体１１に対する表示装置１３は、左右方向のみ移動することができる構成であっても、軸回り方向のみ移動することができる構成であってもよく、何れであっても表示装置の表示部を操縦者が見やすい位置に変更することができる。
【００２８】
［別の実施形態］
(1)  本発明は、野菜収穫機等にも適用できる。
【００２９】
(2)  上記実施形態では、座席８を有する運転部構造について説明し、これに本発明を適用した例について説明したが、本発明はこれに限らず、座席がなく立ち姿勢のまま操縦する運転部構造に適用してもよい。
【図面の簡単な説明】
【図１】コンバインを示す全体側面図
【図２】搭乗操縦部を示す斜視図
【図３】  ハンドル体の横杆部分と表示装置の関係を示す正断面図
【図４】  ハンドル体の横杆部分と表示装置の関係を示す側断面図
【符号の説明】
２        走行機体
３        刈取前処理装置
９        フートカバー
１０      運転台
１１      ハンドル体
１２      操縦レバー
１３      表示装置
１４      支持台
２０      操縦塔
【図１】
0003604299.tif 000002
【図２】
0003604299.tif 000003
【図３】
0003604299.tif 000004
【図４】
0003604299.tif 000005